【事件の表示】
　商願２００９−６６２５０拒絶査定不服審判事件について、平成２３年９月２８日にした審決に対し、知的財産高等裁判所において審決取消の判決（平成２３年（行ケ）第１０３７２号、平成２４年７月１２日判決言渡）があったので、さらに審理の上、次のとおり審決する。
【結　論】
　原査定を取り消す。
　本願商標は、登録すべきものとする。
【理　由】
１　本願商標
　本願商標は、「ファンタジーライフ」の文字を標準文字で表してなり、第９類及び第４１類に属する別掲１に記載されたとおりの商品及び役務を指定商品及び指定役務として、平成２１年８月３１日に登録出願されたものである。
　
２　引用商標
　原査定において、本願商標が商標法第４条第１項第１１号に該当するとして本願の拒絶の理由に引用した登録第５２７５２９６号商標（以下「引用商標」という。）は、別掲２のとおりの構成からなり、平成２１年６月３０日に登録出願、第９類「オンラインゲームのためのコンピューターソフトウェア、コンピューターゲームのためのソフトウェア、その他のコンピューター用ソフトウェア」及び第４１類「インターネット上でのオンラインゲームの提供」を指定商品及び指定役務として、同年１０月２３日に設定登録されたものである。
　
３　当審の判断
（１）本願商標について
　本願商標は、前記１のとおり、「ファンタジーライフ」の片仮名を表してなるものであるところ、構成中の「ファンタジー」の文字が「空想。幻想。白日夢。」、同じく「ライフ」の文字が「生活。暮し。生涯。人生。」等の意味（「広辞苑第６版」株式会社岩波書店発行）を有する外来語として、いずれもよく知られた語であることから、「ファンタジーライフ」の文字は、「ファンタジー」の語と「ライフ」の語を結合したものとして容易に理解、把握されるものである。
　そうとすれば、本願商標は、その構成文字全体から「空想生活」ないし「空想上の人生」程の観念を生じるものであり、「ファンタジーライフ」の称呼が生じるものである。
（２）引用商標について
　引用商標は、別掲２のとおり、デザイン化して表された「ｍａｂｉｎｏｇｉ」の欧文字と該文字中の「ｂ」の文字から「ｏ」の文字の下に該文字よりやや小さく袋文字風に表した「マビノギ」の片仮名を書し、さらに、「ｍａｂｉｎｏｇｉ」と「マビノギ」からなる部分（「以下「『ｍａｂｉｎｏｇｉ／マビノギ』の部分」という。）の右上方に、「ｆａｎｔａｓｙ」の欧文字を書し、それに続けて黒色長方形内に白抜き文字で「ＬＩＦＥ」の欧文字を書してなるものである。
　そして、「ｆａｎｔａｓｙ　ＬＩＦＥ」の部分は、「ｍａｂｉｎｏｇｉ／マビノギ」の部分に比し、高さは約５分の１、幅は約２分の１の大きさである。
　そうすると、「ｆａｎｔａｓｙ　ＬＩＦＥ」の部分と「ｍａｂｉｎｏｇｉ／マビノギ」の部分とは、文字の種類及び大きさが異なっているから、分離して認識されるものと認められる。
　そして、上記（１）のとおり、「ｆａｎｔａｓｙ」は「空想、夢想、ファンタジー」を、「ＬＩＦＥ」は「生命」「生物」「人生」「生活」を意味するいずれも平易な英語であり、「ｆａｎｔａｓｙ　ＬＩＦＥ」は、この２つの英単語を結合したものと容易に理解、把握されるものであるから、同部分のみを抽出した場合、「空想生活」ないし「空想上の人生」程の観念を生じ、また、同部分から生じる称呼は、「ファンタジーライフ」であると認められる。
　他方、「ｍａｂｉｎｏｇｉ／マビノギ」の部分中、「マビノギ」は「ｍａｂｉｎｏｇｉ」の読みを表したものと容易に認識されるものであり、「ｍａｂｉｎｏｇｉ」の欧文字は、「Ｍａｂｉｎｏｇｉｏｎ（『マビノギオン』：ウェールズの中世騎士道物語集）」（「小学館ランダムハウス英和大辞典」株式会社小学館発行）に収録されている物語の題号の１つである「マビノギ（Ｍａｂｉｎｏｇｉ）」を指すものである（Ｗｉｋｉｐｅｄｉａhttp://ja.wikipedia.org/wiki/%E3%83%9E%E3%83%93%E3%83%8E%E3%82%AE%E3%82%AA%E3%83%B3、http://ja.wikipedia.org/wiki/%E3%83%9E%E3%83%93%E3%83%8E%E3%82%AE%E5%9B%9B%E6%9E%9D。）が、一般になじみのある語であるとは認められない。
　したがって、「ｍａｂｉｎｏｇｉ／マビノギ」の部分からは、特定の観念を生じないか、上記由来を知っている者には、物語の題号の１つである「マビノギ」の観念を生じさせるものであり、また、同部分から生じる称呼は、「マビノギ」であると認められる。
（３）取引の実情等
　本願商標の指定商品及び指定役務は、引用商標の指定商品及び指定役務である第９類「オンラインゲームのためのコンピューターソフトウェア、コンピューターゲームのためのソフトウェア、その他のコンピューター用ソフトウェア」及び第４１類「インターネット上でのオンラインゲームの提供」を含む点で共通している。そして、これらコンピュータゲームの分野において、「ファンタジー」の語は、ゲームのジャンル（「空想上の人生・生活を体験することを内容としたゲーム」）を指すものとして使用されていることが認められる。
（４）本願商標と引用商標の類否について
　本願商標と引用商標との類否についてみるに、本願商標は、「ファンタジーライフ」の標準文字からなるのに対して、引用商標は、上記のような特徴的な書体で表された「ｍａｂｉｎｏｇｉ／マビノギ」の部分と、右上方の「ｆａｎｔａｓｙ　ＬＩＦＥ」の部分からなるものであり、両者は外観において著しく異なるものである。
　そして、本願商標は、「空想生活」ないし「空想上の人生」程の観念を生じ、「ファンタジーライフ」の称呼を生じるものであるのに対して、引用商標は、「ｆａｎｔａｓｙ　ＬＩＦＥ」の部分のみを抽出した場合、「空想生活」ないし「空想上の人生」程の観念を生じ、「ファンタジーライフ」の称呼を生じるということができるが、他方、「ｍａｂｉｎｏｇｉ／マビノギ」の部分からは、特定の観念を生じないか、物語の題号「マビノギ」の観念を生じ、「マビノギ」の称呼を生じるものである。
　ところで、引用商標は、「ｆａｎｔａｓｙ　ＬＩＦＥ」の部分と「ｍａｂｉｎｏｇｉ／マビノギ」の部分とからなる結合商標と解されるところ、「ｍａｂｉｎｏｇｉ／マビノギ」の部分は、「ｆａｎｔａｓｙ　ＬＩＦＥ」の部分よりも大きく（高さは約５倍、幅は約２倍）かつ特徴的な書体で表され、同部分からは特定の観念を生じないか、物語の題号の１つである「マビノギ」の観念を生じさせるから、造語ないし固有名詞として認識され、取引者、需要者に対して商品又は役務の出所識別標識として強く支配的な印象を与えるものと認められるものであり、また、同部分から「マビノギ」の称呼が生じることは明らかである。
　他方、「ｆａｎｔａｓｙ」の語は、「空想、夢想、ファンタジー」を意味する平易な英語であって、「ファンタジー」の語は、コンピュータゲームの分野においてゲームのジャンル（「空想上の人生・生活を体験することを内容としたゲーム」）を指すものとして使用されているから、引用商標の構成中「ｆａｎｔａｓｙ　ＬＩＦＥ」の部分は、取引者、需要者にコンピュータゲームのジャンルを示すものと認識されることが多いものと認められ、商品又は役務の出所識別標識として強く支配的な印象を与えるとは認められない。
　そうとすると、引用商標の構成中、「ｆａｎｔａｓｙ　ＬＩＦＥ」の部分が取引者、需要者に対し商品又は役務の出所識別標識として強く支配的な印象を与えるものと認めることはできず、他方、「ｍａｂｉｎｏｇｉ／マビノギ」の部分から出所識別標識として固有の称呼を生じ、観念を生じ得るのであるから、引用商標の構成中「ｆａｎｔａｓｙ　ＬＩＦＥ」の部分だけを抽出して本願商標と対比することは許されないというべきである。
　そして、本願商標と引用商標の構成全体を対比すると、両者は外観において著しく異なり、観念、称呼において一部共通するものの、取引の実情を考慮するならば、類似するとはいえない。
（５）まとめ
　以上によれば、本願商標を商標法第４条第１項第１１号に該当するとして拒絶した原査定は、妥当ではなく、取消しを免れない。
　その他、本願について拒絶の理由を発見しない。
　よって、結論のとおり審決する。